(57)【要約】【課題】優れたダンパーの密閉性、開閉バランス、雨水侵入対策を備えた屋外フードを提供することを目的とする。【解決手段】室内側に換気扇２が設けられる換気口１の屋外側に設置され、内部に通風路を形成するダンパー取付枠３の屋外側上部に、その上部を回動自在に支持させて前記通風路を開閉するダンパー板４と、このダンパー板４を覆うとともに下面を開口させてダンパー取付枠３に取着されるフード５と、ダンパー板４を開閉するための駆動機８と、フード５内に設けられダンパー取付枠３の上部に屋外側へ突設される補助板１０と、この補助板１０に枢設され駆動機に８より上方または斜め上方に引き上げられる突張板１１と、この突張板１１とダンパー板４に両端を枢設されたダンパー押さえ棒１２とを備えて屋外フードを構成したものである。【選択図】図１
2005147442.tif 000002
【特許請求の範囲】
【請求項１】
室内と屋外を連通し室内側に換気扇が設けられる換気口の屋外側に設置され、内部に通風路を形成するダンパー取付枠と、このダンパー取付枠の屋外側上部に、その上部を回動自在に支持させて前記通風路を開閉するダンパー板と、このダンパー板を覆うとともに下面を開口させて前記ダンパー取付枠に取着されるフードと、前記ダンパー板を開閉するための駆動部と、前記フード内に設けられ前記ダンパー取付枠の上部に屋外側へ突設される補助板と、この補助板に枢設され前記駆動部により上方または斜め上方に引き上げられる突張部材と、この突張部材と前記ダンパー板に両端を枢設されたダンパー押さえ部材とで構成することを特徴とする屋外フード。
【請求項２】
駆動部と突張部材を連結するワイヤーを設け、前記ワイヤーは突張部材に係止され補助板に設けた支持部を介して駆動部により摺動し巻き上げられることを特徴とする請求項１記載の屋外フード。
【請求項３】
駆動部に連結して前記ワイヤーを巻き付けるプーリーを設け、前記プーリーは直径がワイヤーの巻初めは大きく、巻終わりは小さくなる螺旋形状とすることを特徴とする請求項１または２記載の屋外フード。
【請求項４】
フードに取着された延長フード内にＶの字に形成されたフィルター部を備えたことを特徴とする請求項１、２、または３記載の屋外フード。
【発明の詳細な説明】
【技術分野】
【０００１】
本発明は、空室、例えば、携帯電話などの電波を中継する無線局舎に設けられ換気通風口を開閉するためのシャッターを備えた屋外フードに関する。
【背景技術】
【０００２】
従来、この種の屋外フードは、駆動機でシャッターを開くためにシャッター部分の自重だけでシャッターを全閉し、シャッターの密閉性を保持しているものが知られている（例えば、特許文献１参照）。
【０００３】
以下、その屋外フードについて図３を参照しながら説明する。
【０００４】
図に示すように、一般に駆動機でシャッターを開閉するために、建物壁１０１の開口部１０２に換気扇１０３を内設し、建物壁１０１の屋外側に本体枠１０４を配置し、この本体枠１０４の上端に枢持され本体枠１０４を開閉するシャッター１０５を設け、このシャッター１０５を覆うとともに下面が開口したフードを装着したものにおいて、シャッター１０５に設置されワイヤー１０６の一端を巻き付ける駆動機１０７と、本体枠１０４の上部に突設されてフードの内面に当設固定されワイヤー１０６の他端が係止された係止部１０８を有する補強板１０９とを備えた構成としていた。
【０００５】
そして、換気扇１０３に通電されると、同時に駆動機１０７が駆動され結合されるプーリー１１０が回転しワイヤー１０６を巻き取り、シャッター１０５は駆動機１０７によって開く。さらに、換気扇１０３および駆動機１０７への通電がオフされると、シャッター１０５はシャッター１０５と駆動機１０７の重量で閉塞することとなる。
【特許文献１】特開平０５−３３２５８７号公報
【発明の開示】
【発明が解決しようとする課題】
【０００６】
このような従来の屋外フードでは、シャッター１０５と駆動機１０７の重量だけでしかシャッター１０５の本体枠１０４に対する密閉力がないためシャッター１０５の密閉性が悪い。また、シャッター１０５の開閉時、シャッター１０５の開き角度が大きくなるにつれ、駆動機１０７に必要な回転トルクは大きくなるため、プーリー１１０の直径が巻き始めから巻き終わりまで同じ場合、プーリー１１０の直径が小さいと全開時に駆動機１０７は小さな回転トルクでシャッター１０５は全開できるが、閉塞時は閉まりきるのに大きなトルクがプーリー１１０にかからないと駆動機１０７が回転しないので、シャッター１０５と駆動機１０７の重量では全閉しない場合がある。逆に、プーリー１１０の直径が大きいと全開時に駆動機１０７は大きな回転トルクが必要になり、閉塞時は閉まりきるのに小さなトルクがプーリー１１０にかかるだけで駆動機１０７が回転するのでシャッター１０５が勢いよく閉まりすぎる場合があり、シャッターの全開時の駆動力と閉塞時の閉塞力のバランスがとり難いという課題があった。また、換気扇で室内へ給気する場合に雨水が侵入する等の課題があった。
【０００７】
本発明は、このような従来の課題を解決するものであり、シャッター閉塞時のシャッター取付枠に対するシャッターの密閉力を上げることができ、また、シャッターの全開時の駆動力と閉塞時の閉塞力のバランス調整が容易にでき、換気扇で室内へ給気する場合に雨水の侵入を抑えることのできる屋外フードを提供することを目的としている。
【課題を解決するための手段】
【０００８】
本発明の屋外フードは上記目的を達成するために、室内と屋外を連通し室内側に換気扇が設けられる換気口の屋外側に設置され、内部に通風路を形成するダンパー取付枠と、このダンパー取付枠の屋外側上部に、その上部を回動自在に支持させて前記通風路を開閉するダンパー板と、このダンパー板を覆うとともに下面を開口させて前記ダンパー取付枠に取着されるフードと、前記ダンパー板を開閉するための駆動部と、前記フード内に設けられ前記ダンパー取付枠の上部に屋外側へ突設される補助板と、この補助板に枢設され前記駆動部により上方または斜め上方に引き上げられる突張部材と、この突張部材と前記ダンパー板に両端を枢設されたダンパー押さえ部材とを備えたものである。
【０００９】
また、駆動部と突張部材を連結するワイヤーを設け、前記ワイヤーは突張部材に係止され補助板に設けた支持部を介して駆動部により摺動し巻き上げられるものである。
【００１０】
また、駆動部に連結して前記ワイヤーを巻き付けるプーリーを設け、前記プーリーは直径がワイヤーの巻初めは大きく、巻終わりは小さくなる螺旋形状とするものである。
【００１１】
また、フードに取着された延長フード内にＶの字に形成されたフィルター部を備えたものである。
【００１２】
本発明によれば、シャッター閉塞時のシャッター取付枠に対するシャッターの密閉力を上げることができ、また、シャッターの全開時の駆動力と閉塞時の閉塞力のバランスが容易にとれ、また換気扇で室内へ給気する場合に雨水の侵入を抑える屋外フードが得られる。
【発明の効果】
【００１３】
本発明によれば、シャッターの密閉力が高く、また、全開時の駆動力と閉塞時の閉塞力のバランスが良い、雨水の侵入を抑えることのできる屋外フードを提供することができる。
【発明を実施するための最良の形態】
【００１４】
本発明の請求項１記載の発明は、室内と屋外を連通し室内側に換気扇が設けられる換気口の屋外側に設置され、内部に通風路を形成するダンパー取付枠と、このダンパー取付枠の屋外側上部に、その上部を回動自在に支持させて前記通風路を開閉するダンパー板と、このダンパー板を覆うとともに下面を開口させて前記ダンパー取付枠に取着されるフードと、前記ダンパー板を開閉するための駆動部と、前記フード内に設けられ前記ダンパー取付枠の上部に屋外側へ突設される補助板と、この補助板に枢設され前記駆動部により上方または斜め上方に引き上げられる突張部材と、この突張部材と前記ダンパー板に両端を枢設されたダンパー押さえ部材とで構成された屋外フードであるので、ダンパー閉塞時のダンパー取付枠に対するシャッターの密閉力を上げることができるという作用を有する。
【００１５】
また、請求項２記載の発明は、請求項１記載の屋外フードに、駆動部と突張部材を連結するワイヤーは、突張部材に係止され補助板に設けた支持部を介して駆動部により摺動し巻き上げられる構成としたので、ダンパー閉塞時のダンパー取付枠に対するシャッターの密閉力を上げることができるという作用を有する。
【００１６】
また、請求項３記載の発明は、請求項１または２記載の屋外フードに、駆動部に連結し前記ワイヤーを巻き付けるプーリーは、直径がワイヤーの巻初めは大きく、巻終わりは小さくなる螺旋形状とするで構成としたので、シャッターの全開時の駆動力と閉塞時の閉塞力のバランスが容易にとれるという作用を有する。
【００１７】
また、請求項４記載の発明は、請求項１、２または３記載の屋外フードに、延長フードを設け、前記延長フードにＶの字に形成されたフィルター部を備えたことにより、換気扇で室内へ給気する場合の雨水の侵入防止性を向上するという作用を有する。
【００１８】
以下、本発明の実施の形態について図面を参照しながら説明する。
【００１９】
（実施の形態１）
図１に示すように、屋外と室内を連通するべく壁面に開口された換気口１の室内側に換気扇２を取り付ける。屋外側に設置され、内部に通風路を有したダンパー取付枠３と、このダンパー取付枠３の屋外側上部に、その上端部を回動自在に支持させて前記通風路を開閉するダンパー板４と、このダンパー板４を覆うとともに屋外側に延長してその下面を開口し、ダンパー取付枠３に取着されるフード５と、ダンパー板４の屋外側表面に設置され内部にプーリー７を有し、ダンパー板４を開閉するための駆動機８と、ダンパー取付枠３の上部に屋外側へ突設されフード５の内面に固定される補助板１０とを設け屋外フードを構成する。
【００２０】
この補助板１０の端部には突張部材である平板状の突張板１１を枢設し、その他端にダンパー押さえ部材であるダンパー押さえ棒１２を枢設するとともに、駆動機８のプーリー７により巻き上げられるように、補助板１０に設けた支持部９により途中でその引っ張り方向を変更させるワイヤー６を突張板１１の中ほどに係止する。フード５の下面に取着され内部に通風路を有し下面の開口した延長フード１４と、この延長フード１４の通風路に内設するＶの字に形成されたフィルター部１４とを備えている。
【００２１】
上記構成において、換気扇２に通電されると、同時に駆動機８が駆動され結合されたプーリー７が回転してワイヤー６を巻き取り、ワイヤー６が係止された突張板１１を引き上げることにより、突張板１１に枢設されたダンパー押さえ棒１２も引き上げられ、ダンパー板４を押さえる機構が解除され、さらにプーリー７が回転してワイヤー６を巻き取ることにより、ダンパー板４は引き上げられ、ダンパー板４が開く。そして、換気扇２を運転することにより、延長フード１４の下面開口より外気が吸い込まれ、延長フード１４の通風路に内設されＶの字に形成されたフィルター部１３を通り、フード５内部、ダンパー取付枠３の通風路を順に通過して室内側に給気されることになる。
【００２２】
また、換気扇２および駆動機８への通電がオフされると、ダンパー板４と駆動機８の重量でプーリー７に巻き取られていたワイヤー６が徐々に引き出されて、ダンパー板４が下がり通風路を閉塞する方向に働く。そして、それに伴い、突張板１１とダンパー押さえ棒１２も自重で下がり、ダンパー板４を突張板１１およびダンパー押さえ棒１２を介して補助板１０のバネ性で押さえつけ、ダンパー板４とダンパー取付枠３の密閉性を保持することとなる。
【００２３】
また、図２に示すように、駆動機８に連結してワイヤー６を巻き付けるプーリー７は、その直径がワイヤー６の巻初めは大きく、巻終わりは小さくなる螺旋形状で構成されている。
【００２４】
このように本発明の屋外フードの実施の形態によれば、室内と屋外を連通し室内側に換気扇２が設けられる換気口１の屋外側に設置され、内部に通風路を形成するダンパー取付枠３と、このダンパー取付枠３の屋外側上部に、その上部を回動自在に支持させて前記通風路を開閉するダンパー板４と、このダンパー板４を覆うとともに下面を開口させてダンパー取付枠３に取着されるフード５と、ダンパー板４を開閉するための駆動機８と、フード５内に設けられダンパー取付枠３の上部に屋外側へ突設される補助板１０と、この補助板１０に枢設され駆動機に８より上方または斜め上方に引き上げられる突張板１１と、この突張板１１とダンパー板４に両端を枢設されたダンパー押さえ棒１２とを備えて屋外フードを構成したことにより、ダンパー板４と駆動機８の重量だけでなく、ダンパー板４を突張板１１とダンパー押さえ棒１２を介し補助板１０のバネ性でも押さえつけ、ダンパー板４とダンパー取付枠３の密閉力を上げることができる。
【００２５】
また、換気扇２に通電されると、同時に駆動機８が駆動され結合されたプーリー７が回転しワイヤー６を巻き取り、ダンパー板４は駆動機８とともに開く。このときダンパー板４の開き角度が大きくなるにつれ、駆動機８に必要な回転トルクは大きくなるが、プーリー７はその直径がワイヤー６の巻初めは大きく、巻終わりは小さくなる螺旋形状であるので、ダンパー開時の巻初めから巻終わりまでの駆動機８に必要な回転トルクがほぼ同じになり、閉塞時も駆動機８にほぼ一定の回転トルクがかかるため、ダンパー板４の全開時の駆動機８に必要な回転トルクと閉塞時の駆動機８にかかる回転トルクのバランスが容易に設定できる。
【００２６】
また、２枚のフィルターからなるフィルター部１３が延長フードＶの字に形成されて固定されていることにより、換気扇２によって吸い上げられた雨水がフィルター部１３に溜まらず、下方に流れ落ちるため、雨水の侵入を抑えることができる。
【産業上の利用可能性】
【００２７】
本発明の屋外フードは、空調装置、換気扇、送風装置などとともに使用され、優れたダンパーの密閉性、開閉バランスを有して雨水侵入対策が必要なフード等の用途として有用である。
【図面の簡単な説明】
【００２８】
【図１】本発明の実施の形態１の屋外フードの構成を示す断面図
【図２】同屋外フードのプーリーを示す斜視図
【図３】従来の屋外フードを示す断面図
【符号の説明】
【００２９】
１    開口部
２    換気扇
３    ダンパー取付枠
４    ダンパー板
５    フード
６    ワイヤー
７    プーリー
８    駆動機
９    支持部
１０  補助板
１１  突張板
１２  ダンパー押さえ棒
１３  フィルター部
１４  延長フード
【図１】
2005147442.tif 000003
【図２】
2005147442.tif 000004
【図３】
2005147442.tif 000005